(57)【特許請求の範囲】
【請求項１】
クリップ本体と、
前記クリップ本体の開閉操作を行う一対の開閉レバーとを備えるダブルクリップであって、
前記開閉レバーの少なくとも一方に、筆記具の本体部分を保持する保持部が設けられており、
前記保持部として、孔部を有するものを備え、
前記筆記具を保持した状態において、前記保持部は、前記筆記具の長手方向に沿って延在する筒状部を有するものであることを特徴とするダブルクリップ。
【請求項２】
前記筒状部は、前記筆記具を挿し入れる方向に向かって、中空部の幅が漸減する漸減部を有するものである請求項１に記載のダブルクリップ。
【請求項３】
前記クリップ本体の挟持部を開く操作を行う際に、前記筒状部は、当該筒状部が設けられている前記開閉レバーとは異なる前記開閉レバーに設けられた孔部に挿入されるように構成されている請求項１または２に記載のダブルクリップ。
【請求項４】
一方の前記開閉レバーである第１の開閉レバー、および、他方の前記開閉レバーである第２の開閉レバーの両方に、前記保持部が設けられており、
前記第１の開閉レバーに設けられた前記保持部としての第１の保持部と、前記第２の開閉レバーに設けられた前記保持部としての第２の保持部とは、大きさ、形状のうち少なくとも一方が異なるものである請求項１ないし３のいずれか１項に記載のダブルクリップ。
【請求項５】
前記筆記具の先端側を保持する前記第１の保持部、前記第１の保持部よりも前記筆記具の基端側を保持する前記第２の保持部のいずれもが、孔部を有するものであり、
前記第１の保持部を構成する前記孔部の幅は、前記第２の保持部を構成する前記孔部の幅よりも小さいものである請求項４に記載のダブルクリップ。
【請求項６】
前記筆記具を保持した状態において、一方の前記開閉レバーである第１の開閉レバーよりも上側に配される他方の前記開閉レバーである第２の開閉レバーは、前記第１の開閉レバーよりも比重の小さい材料で構成されたものである請求項１ないし５のいずれか１項に記載のダブルクリップ。
【請求項７】
ダブルクリップを表面が水平の支持体上に設置し、前記筆記具を保持させた状態において、当該筆記具の先端が前記支持体の表面に接触しないように構成されている請求項１ないし６のいずれか１項に記載のダブルクリップ。
【請求項８】
ダブルクリップの側面図において、前記開閉レバーは、前記クリップ本体への取り付け部と先端部との間に、内側に屈曲または湾曲している部位を有している請求項１ないし７のいずれか１項に記載のダブルクリップ。
【発明の詳細な説明】
【技術分野】
【０００１】
本発明は、ダブルクリップに関する。
【背景技術】
【０００２】
紙葉類等を束ねる挟持具としては、ダブルクリップが知られている（例えば、特許文献１参照）。
【０００３】
紙葉類を束ねるための挟持具としては、弾性力を有する板材を側面視略二等辺三角形状に折り曲げてクリップ本体を形成し、これに金属線を折り曲げた開閉レバーを起伏自在に取り付けたダブルクリップが用いられている（例えば、特許文献１参照）。ダブルクリップは、一般に持ち運び等が容易であること等から、異なる複数の場所での利用にも適している。
【０００４】
一方、ペン等の筆記具を収容し、必要時に筆記具を容易に取り出すことができるペン立ても広く用いられている。
【０００５】
しかしながら、ペン立ては、一般に、ダブルクリップ等に比べて大型であり、異なる場所に持ち運ぶことはほとんど行われていない。その一方で、筆記具を直接机等に置いた場合、筆記具を掴み損ねることがあり、作業性の低下を招いていた。
【０００６】
また、複数の筆記具を用いた作業を行っている場合、誤って目的としない筆記具を掴んでしまうことや、ある筆記具を掴む際に、他の筆記具を誤って机等から落下させてしまう等の問題があった。
【先行技術文献】
【特許文献】
【０００７】
【特許文献１】実公平３−４４５４５号公報
【発明の概要】
【発明が解決しようとする課題】
【０００８】
本発明の目的は、持ち運びに便利で、筆記具を好適に保持（支持）する機能も備えたダブルクリップを提供すること。
【課題を解決するための手段】
【０００９】
このような目的は、下記（１）〜（９）に記載の本発明により達成される。
（１）  クリップ本体と、
前記クリップ本体の開閉操作を行う一対の開閉レバーとを備えるダブルクリップであって、
前記開閉レバーの少なくとも一方に、筆記具の本体部分を保持する保持部が設けられており、
前記保持部として、孔部を有するものを備え、
前記筆記具を保持した状態において、前記保持部は、前記筆記具の長手方向に沿って延在する筒状部を有するものであることを特徴とするダブルクリップ。
【００１０】
これにより、持ち運びに便利で、筆記具を好適に保持（支持）する機能も備えたダブルクリップを提供することができる。また、ダブルクリップの目的の部位に筆記具を載置する操作や、載置した筆記具を取る操作をより円滑に行うことができる。また、ダブルクリップに載置した筆記具の不本意な転倒等をより好適に防止することができる。
【００１７】
（２）  前記筒状部は、前記筆記具を挿し入れる方向に向かって、中空部の幅が漸減する漸減部を有するものである上記（１）に記載のダブルクリップ。
【００１８】
これにより、筒状部への筆記具の挿入操作を行いやすく、また、筆記具をより安定的に保持することができる。
【００１９】
（３）  前記クリップ本体の挟持部を開く操作を行う際に、前記筒状部は、当該筒状部が設けられている前記開閉レバーとは異なる前記開閉レバーに設けられた孔部に挿入されるように構成されている上記（１）または（２）に記載のダブルクリップ。
【００２０】
これにより、筆記具をより安定的に保持することができ、筆記具の不本意な転倒等をより効果的に防止することができるとともに、クリップ本体の挟持部を開く操作を行う際に、筒状部がダブルクリップの他の部位に不本意に接触することが効果的に防止され、より厚みの大きい部材（例えば、より多くの紙葉類等）等を好適に挟持することができる。
【００２１】
（４）  一方の前記開閉レバーである第１の開閉レバー、および、他方の前記開閉レバーである第２の開閉レバーの両方に、前記保持部が設けられており、
前記第１の開閉レバーに設けられた前記保持部としての第１の保持部と、前記第２の開閉レバーに設けられた前記保持部としての第２の保持部とは、大きさ、形状のうち少なくとも一方が異なるものである上記（１）ないし（３）のいずれかに記載のダブルクリップ。
【００２２】
これにより、例えば、筆記具の形状等に応じて、筆記具をより好適に保持することができる。
【００２３】
（５）  前記筆記具の先端側を保持する前記第１の保持部、前記第１の保持部よりも前記筆記具の基端側を保持する前記第２の保持部のいずれもが、孔部を有するものであり、
前記第１の保持部を構成する前記孔部の幅は、前記第２の保持部を構成する前記孔部の幅よりも小さいものである上記（４）に記載のダブルクリップ。
【００２４】
これにより、例えば、筆記具のうち、第１の保持部が保持する部位が第２の保持部が保持する部位よりも細いものである場合等に、筆記具をより好適に保持することができる。
【００２５】
（６）  前記筆記具を保持した状態において、一方の前記開閉レバーである第１の開閉レバーよりも上側に配される他方の前記開閉レバーである第２の開閉レバーは、前記第１の開閉レバーよりも比重の小さい材料で構成されたものである上記（１）ないし（５）のいずれかに記載のダブルクリップ。
【００２６】
これにより、ダブルクリップの不本意な転倒等をより効果的に防止することができ、筆記具をより好適に保持することができる。特に、クリップ本体が挟持している部材（紙葉類等）が薄いものである場合、重量が小さいものである場合等のほか、クリップ本体が部材を挟持していない状態においても、安定的に筆記具を保持することができる。
【００２７】
（７）  ダブルクリップを表面が水平の支持体上に設置し、前記筆記具を保持させた状態において、当該筆記具の先端が前記支持体の表面に接触しないように構成されている上記（１）ないし（６）のいずれかに記載のダブルクリップ。
【００２８】
これにより、筆記具の先端が支持体に接触し、支持体を汚してしまったり、筆記具が破損したりする等の問題の発生を効果的に防止することができる。
【００２９】
（８）  ダブルクリップの側面図において、前記開閉レバーは、前記クリップ本体への取り付け部と先端部との間に、内側に屈曲または湾曲している部位を有している上記（１）ないし（７）のいずれかに記載のダブルクリップ。
【００３０】
これにより、筆記具の先端が支持体に接触し、支持体を汚してしまったり、筆記具が破損したりする等の問題の発生をより効果的に防止することができる。また、開閉レバーによる挟持部の開閉操作をより容易に行うことができる。また、ダブルクリップが筆記具を保持した状態における筆記具の角度（鉛直方向とのなす角）をより好適に調整することができ、筆記具の転倒等をより効果的に防止することができる。
【発明の効果】
【００３１】
本発明によれば、持ち運びに便利で、筆記具を好適に保持（支持）する機能も備えたダブルクリップを提供することができる。
【図面の簡単な説明】
【００３２】
【図１】本発明のダブルクリップの第１実施形態を示す模式的な斜視図である。
【図２】本発明のダブルクリップの第２実施形態を示す模式的な斜視図である。
【図３】本発明のダブルクリップの第３実施形態を示す模式的な斜視図である。
【図４】図３に示すダブルクリップの挟持部（先端縁挟持部）を開いた状態を示す模式的な側面図である。
【図５】本発明のダブルクリップの第４実施形態を示す模式的な斜視図である。
【図６】図５に示すダブルクリップの模式的な側面図（断面図）である。
【図７】本発明のダブルクリップの他の実施形態を示す模式的な斜視図である。
【図８】図８に示すダブルクリップの模式的な側面図である。
【図９】本発明のダブルクリップの他の実施形態を示す模式的な斜視図である。
【図１０】図９に示すダブルクリップの模式的な側面図である。
【図１１】本発明のダブルクリップが、筆記具の筆記具本体以外の部位（クリップ部）を保持する形態を示す模式的な斜視図である。
【発明を実施するための形態】
【００３３】
以下、本発明の好適な実施形態について詳細に説明する。
《第１実施形態》
まず、本発明のダブルクリップの第１実施形態について説明する。
【００３４】
図１は、本発明のダブルクリップの第１実施形態を示す模式的な斜視図である。
図１に示すように、本実施形態のダブルクリップ１００は、クリップ本体１と、クリップ本体１の開閉操作を行う一対の開閉レバー２（第１の開閉レバー２Ａおよび第２の開閉レバー２Ｂ）とを備えている。なお、開閉レバー２は、クリップ本体から着脱自在な部材である。
【００３５】
クリップ本体１は、金属や合成樹脂等の弾性復元力に優れる板材を加工することにより得られたものである。
【００３６】
クリップ本体１は、背板１１と、これの長さ方向両端縁からそれぞれ延設される一対の挟持板１２（第１の挟持板１２Ａおよび第２の挟持板１２Ｂ）とで構成される側面視略二等辺三角形形状に形成されている。
【００３７】
第１の挟持板１２Ａおよび第２の挟持板１２Ｂの先端縁の幅方向両側部分は、それぞれ、背板１１が配された側とは反対の方向に延出したのち外側（お互いが離れる方向）に向かって筒状に丸められ、先端縁挟持部１２１（第１の先端縁挟持部１２１Ａおよび第２の先端縁挟持部１２１Ｂ）を形成している。
【００３８】
先端縁挟持部１２１（１２１Ａ、１２１Ｂ）は、開閉レバー２が起伏自在にクリップ本体１に取り付けられるための軸受け部としての役割も担っている。
【００３９】
第１の先端縁挟持部１２１Ａおよび第２の先端縁挟持部１２１Ｂの幅方向内側には、それぞれ、開閉レバー２（２Ａ、２Ｂ）の先端部を挿入するための差し込み口１２２（第１の差し込み口１２２Ａ、第２の差し込み口１２２Ｂ）が設けられている。
【００４０】
また、第１の先端縁挟持部１２１Ａおよび第２の先端縁挟持部１２１Ｂの先端縁の幅方向中央部分は、それぞれ、背板１１が配された側とは反対の方向に延出したのち外側（先端部が離れる方向）に向かって略Ｕ字形状に丸められ、開閉レバー２（第１の開閉レバー２Ａおよび第２の開閉レバー２Ｂ）の先端（回動軸部２３）を先端縁挟持部１２１内に導くための案内部１２３（第１の案内部１２３Ａ、第２の案内部１２３Ｂ）を形成している。
【００４１】
クリップ本体１の構成材料は、特に限定されないが、加工性や耐久性等の観点から金属材料を好適に用いることができる。
【００４２】
また、クリップ本体１は、磁石材料で構成された部位を有するものであってもよい。
これにより、例えば、ダブルクリップ１００を支持する支持体（例えば、机等）が強磁性材料で構成されたものである場合に、ダブルクリップ１００を支持体に好適に吸着させることができ、後に詳述するような筆記具Ｗを保持（支持）した状態を安定的に維持することができる。特に、重量の大きい筆記具Ｗであっても、好適に保持することができる。
【００４３】
また、クリップ本体１は、異なる材料で構成された部位を有するものであってもよい。
例えば、クリップ本体１は、鉄、ステンレス鋼等の金属材料で構成された基部の少なくとも一部（例えば、ダブルクリップ１００の使用時に机等の支持体に接触する挟持板１２の表面等）が、磁石材料で構成された表面層で被覆されたものであってもよい。
【００４４】
また、クリップ本体１は、少なくとも、先端縁挟持部１２１（第１の先端縁挟持部１２１Ａおよび第２の先端縁挟持部１２１Ｂ）が、各種熱可塑性エラストマー、シリコーンゴム、ブチルゴム、天然ゴム等の各種ゴム等で構成されたものであってもよい。これにより、例えば、ダブルクリップ１００が挟持する部材（例えば、紙葉類等）に不本意に傷がついてしまうこと等をより効果的に防止することができる。
【００４５】
また、クリップ本体１は、ダブルクリップ１００の使用時に机等の支持体に接触する挟持板１２が、他の部位に比べて高比重の材料で構成されたものであってもよい。これにより、後に詳述するような筆記具Ｗを保持（支持）した状態を安定的に維持することができる。特に、重量の大きい筆記具Ｗであっても、好適に保持することができる。
【００４６】
開閉レバー２は、幅方向に略円形に膨出する摘み部２１と、摘み部２１から延出し先端に向かって幅方向外側に拡開するアーム部２２と、アーム部２２の先端から幅方向外向きに屈曲してそれぞれ延出する回動軸部２３とを備えている。
【００４７】
より具体的には、第１の開閉レバー２Ａは、幅方向に略円形に膨出する摘み部（第１の摘み部）２１Ａと、摘み部２１Ａから延出し先端に向かって幅方向外側に拡開するアーム部（第１のアーム部）２２Ａと、アーム部２２Ａの先端から幅方向外向きに屈曲してそれぞれ延出する回動軸部（第１の回動軸部）２３Ａとを備えており、第２の開閉レバー２Ｂは、幅方向に略円形に膨出する摘み部（第２の摘み部）２１Ｂと、摘み部２１Ｂから延出し先端に向かって幅方向外側に拡開するアーム部（第２のアーム部）２２Ｂと、アーム部２２Ｂの先端から幅方向外向きに屈曲してそれぞれ延出する回動軸部（第２の回動軸部）２３Ｂとを備えている。
【００４８】
開閉レバー２には、筆記具Ｗを保持（支持）する機能を有する保持部２５が設けられている。
【００４９】
このような保持部２５を有することにより、別途、ペン立て等を用意しなくても、筆記具Ｗを好適に保持（支持）することができる。また、ダブルクリップ１００は、一般に、ペン立てに比べて、小型のものであり、持ち運びにも便利である。また、例えば、パソコン（ディスプレイ、キーボード等）等を、ダブルクリップ１００で挟持して用いることにより、机等の作業スペースを広く確保することができ、作業効率をより優れたものとすることができる。
【００５０】
筆記具Ｗとしては、例えば、鉛筆、シャープペンシル、万年筆、筆、ボールペン、油性ペン、水性ペン、蛍光ペン、修正ペン、筆ペン等の各種ペン等が挙げられる。また、本発明では、紙等の記録媒体に物理的（物質的）に記録をするための上記のような筆記具に加え、スタイラスペン（タッチペン）等のように、スマートフォン、タブレット、パーソナルコンピューター（パソコン）等の電子機器上に、電子的に情報を入力するためのもの（入力手段）も、筆記具に含むものとする。
【００５１】
図示の構成では、筆記具Ｗは、筆記具本体（本体部分）Ｗ１と、クリップ部Ｗ２とを備えるものである。
【００５２】
また、図示の構成では、保持部２５は、筆記具Ｗの筆記具本体Ｗ１（クリップ部Ｗ２以外の部位）を保持するものである。
これにより、筆記具Ｗをより安定的に保持（支持）することができる。
【００５３】
なお、本明細書において、筆記具本体（筆記具の本体部分）とは、筆記具のうち、クリップ部（クリップ部を有するキャップを備える筆記具においては、当該キャップに設けられたクリップ部を含む）を除く部位のことを指し、筆記を行う際に把持する部位や、キャップ（当該キャップがクリップ部を有するものである場合、当該クリップ部を除くキャップ本体）、紙等の記録媒体に接触する部位（シャープペンシルの芯等も含む）のことを言う。
【００５４】
また、本実施形態では、保持部２５は、筆記具Ｗを挿通する孔部２５１を有するものである。
【００５５】
これにより、筆記具Ｗをより好適に保持（支持）することができ、ダブルクリップ１００の目的の部位に筆記具Ｗを載置する操作や、載置した筆記具Ｗを取る操作をより円滑に行うことができる。また、ダブルクリップ１００に載置した筆記具Ｗの不本意な転倒等をより好適に防止することができる。
【００５６】
また、本実施形態では、第１の開閉レバー２Ａに保持部（第１の保持部）２５Ａが設けられるとともに、第２の開閉レバー２Ｂに保持部（第２の保持部）２５Ｂが設けられている。
【００５７】
これにより、より好適に筆記具Ｗを保持することができ、ダブルクリップ１００に載置した筆記具Ｗの不本意な転倒等をさらに効果的に防止することができる。
【００５８】
また、本実施形態では、第１の保持部２５Ａが有する孔部（第１の孔部）２５１Ａと、第２の保持部２５Ｂが有する孔部（第２の孔部）２５１Ｂとは、大きさが異なるもの（相似形）である。
【００５９】
これにより、例えば、筆記具Ｗの形状等に応じて、筆記具Ｗをより好適に保持することができる。
【００６０】
特に、図示の構成では、机等の支持体に接触する側（下側）に配された第１の開閉レバー２Ａに設けられた孔部２５１Ａは、第２の開閉レバー２Ｂ（第１の開閉レバー２Ａよりも上側に配されている）に設けられた孔部２５１Ｂよりも、幅（内径）が小さいものである。
【００６１】
これにより、例えば、筆記具Ｗのうち、第１の保持部２５Ａが保持する部位が第２の保持部２５Ｂが保持する部位よりも細いものである場合（例えば、筆記具Ｗが、把持部（胴部）よりもペン先が細いペン等である場合）等に、筆記具Ｗをより好適に保持することができる。
【００６２】
保持部２５は、いかなる材料で構成されたものであってもよく、保持部２５の構成材料としては、例えば、各種熱可塑性樹脂、硬化性樹脂等の各種樹脂材料、鉄、銅、ステンレス鋼等の各種金属材料、各種セラミックス材料等が挙げられる。
【００６３】
また、保持部２５のうち筆記具Ｗと接触し得る部位は、例えば、各種熱可塑性エラストマー、シリコーンゴム、ブチルゴム、天然ゴム等の各種ゴム等で構成されていてもよい。
【００６４】
これにより、保持される筆記具Ｗの不本意な滑り等を防止することができるとともに、保持される筆記具Ｗに不本意に傷がついてしまうこと等をより効果的に防止することができる。
【００６５】
また、保持部２５、筆記具Ｗ（保持部２５で保持される部位）のうち、一方が、強磁性材料を含む材料で構成されたものであり、他方が磁石材料で構成されたものである場合、磁力により、保持部２５と筆記具Ｗとを密着させることができ、筆記具Ｗをより安定的に保持することができる。
【００６６】
筆記具Ｗを保持した状態において、第１の開閉レバー２Ａよりも上側に第２の開閉レバー２Ｂが配されているものとした場合（図１参照）、第２の開閉レバー２Ｂは、第１の開閉レバー２Ａよりも重量が小さいものであるのが好ましい。
【００６７】
これにより、不本意な転倒等をより効果的に防止することができ、筆記具Ｗをより好適に保持することができる。特に、クリップ本体１が挟持している部材（紙葉類等）が薄いものである場合、重量が小さいものである場合等のほか、クリップ本体１が部材を挟持していない状態においても、安定的に筆記具Ｗを保持することができる。
【００６８】
筆記具Ｗを保持した状態において、第１の開閉レバー２Ａよりも上側に第２の開閉レバー２Ｂが配されているものとした場合（図１参照）、第２の開閉レバー２Ｂは、第１の開閉レバー２Ａよりも比重の小さい材料で構成されたものであるのが好ましい。
【００６９】
これにより、ダブルクリップ１００の不本意な転倒等をより効果的に防止することができ、筆記具Ｗをより好適に保持することができる。特に、クリップ本体１が挟持している部材（紙葉類等）が薄いものである場合、重量が小さいものである場合等のほか、クリップ本体１が部材を挟持していない状態においても、安定的に筆記具Ｗを保持することができる。
【００７０】
なお、第１の開閉レバー２Ａ、第２の開閉レバー２Ｂのうち少なくとも一方が中空部等の空隙部（多孔質体の孔部等を含む）を含むものである場合、各開閉レバー２の比重は、開閉レバー２の重量を当該開閉レバーの空隙部を含む体積で除して求めた値を採用することができる。
【００７１】
《第２実施形態》
次に、本発明のダブルクリップの第２実施形態について説明する。
【００７２】
図２は、本発明のダブルクリップの第２実施形態を示す模式的な斜視図である。以下の説明では、前述した実施形態との相違点について中心的に説明し、同様の事項についての説明は省略する。
【００７３】
本実施形態のダブルクリップ１００は、保持部２５の形状が異なる以外は、前述した実施形態と同様の構成を有している。
【００７４】
すなわち、前述した実施形態では、第１の保持部２５Ａ（孔部２５１Ａ）および第２の保持部２５Ｂ（孔部２５１Ｂ）が、同一の形状（相似形）であったのに対し、本実施形態では、第１の保持部２５Ａ（孔部２５１Ａ）と第２の保持部２５Ｂとが異なる形状を有している。より具体的には、本実施形態では、第１の保持部２５Ａが孔部２５１Ａを有するものであるのに対し、第２の保持部２５Ｂは開放した屈曲部を有するＹ字状をなすものである。
【００７５】
このように、保持部は、筆記具Ｗを保持（支持）する機能を有するものであれば、孔部に限定されず、その形状はいかなるものであってもよい。
【００７６】
特に、保持部２５が、屈曲部において筆記具Ｗと接触することにより、筆記具Ｗを保持するものであると、筆記具Ｗの不本意な移動が防止され、好適に保持することができる。
【００７７】
また、本実施形態のように、第１の保持部２５Ａと第２の保持部２５Ｂの形状が異なるものであると、例えば、筆記具Ｗの形状等に応じて、筆記具Ｗをより好適に保持することができる。
【００７８】
また、本実施形態のように、保持部２５が開放した屈曲部を有するものであると、孔部を有する場合に比べて、ダブルクリップ１００に保持された筆記具Ｗを好適に取ることができ、筆記具Ｗを取る際におけるダブルクリップ１００の転倒等をより効果的に防止することができる。
【００７９】
なお、上記のような効果は、例えば、保持部２５が開放した屈曲部を有する場合のみならず、開放した湾曲部を有するもの（例えば、さすまた状のもの等）である場合にも、同様に得られる。
【００８０】
《第３実施形態》
次に、本発明のダブルクリップの第３実施形態について説明する。
【００８１】
図３は、本発明のダブルクリップの第３実施形態を示す模式的な斜視図であり、図４は、図３に示すダブルクリップの挟持部（先端縁挟持部）を開いた状態を示す模式的な側面図である。以下の説明では、前述した実施形態との相違点について中心的に説明し、同様の事項についての説明は省略する。
【００８２】
本実施形態のダブルクリップ１００は、保持部２５の形状が異なる以外は、前述した実施形態と同様の構成を有している。
【００８３】
すなわち、本実施形態は、保持部２５（第２の保持部２５Ｂ）が、筆記具Ｗを保持した状態において、筆記具Ｗの長手方向に沿って延在する筒状部２５２を有するものである。
【００８４】
このような構成により、筆記具Ｗをより安定的に保持することができ、筆記具Ｗの不本意な転倒等をより効果的に防止することができる。
【００８５】
筒状部２５２の長さ（保持する筆記具Ｗの長手方向の長さ）は、筒状部２５２が設けられた開閉レバー２（２Ｂ）の摘み部２１（２１Ｂ）の厚さよりも大きいものであればよいが、当該摘み部の厚さの２倍以上４５倍以下であるのが好ましく、５倍以上３０倍以下であるのがより好ましい。
【００８６】
これにより、ダブルクリップ１００の大型化を防止しつつ、前述したような効果がより顕著に発揮される。
【００８７】
筒状部２５２の具体的な長さ（保持する筆記具Ｗの長手方向の長さ）は、特に限定されないが、３ｍｍ以上４５ｍｍ以下であるのが好ましく、７．５ｍｍ以上３０ｍｍ以下であるのがより好ましい。
【００８８】
これにより、ダブルクリップ１００の大型化を防止しつつ、前述したような効果がより顕著に発揮される。
【００８９】
また、本実施形態では、筒状部２５２は、筆記具Ｗを挿し入れる方向に向かって、中空部２５２１の幅が漸減する漸減部２５２２を有するものである。
【００９０】
これにより、筒状部２５２への筆記具Ｗの挿入操作を行いやすく、また、筆記具Ｗをより安定的に保持することができる。
【００９１】
漸減部２５２２は、筒状部２５２の長さ方向のいかなる部位に設けられたものであってもよいが、筆記具Ｗの挿入側の端部を含む領域に設けられたものであるのが好ましく、筒状部２５２の全長にわたって設けられているのがより好ましい。
これにより、前述したような効果がより顕著に発揮される。
【００９２】
また、図４に示すように、本実施形態では、クリップ本体１の挟持部を開く操作（一対の先端縁挟持部１２１を離間させる操作）を行う際に、筒状部２５２は、筒状部２５２が設けられている開閉レバー２（第２の開閉レバー２Ｂ）とは異なる開閉レバー２（第１の開閉レバー２Ａ）に設けられた孔部２５１（２５１Ａ）に挿入されるように構成されている。
【００９３】
これにより、上記のような筒状部２５２を有することによる利益を享受しつつ、クリップ本体１の挟持部を開く操作を行う際に、筒状部２５２がダブルクリップ１００の他の部位に不本意に接触することが効果的に防止され、先端縁挟持部１２１同士の離間距離を大きいものとすることができ、より厚みの大きい部材（例えば、より多くの紙葉類等）等を好適に挟持することができる。
【００９４】
筒状部２５２は、いかなる材料で構成されたものであってもよく、筒状部２５２の構成材料としては、例えば、各種熱可塑性樹脂、硬化性樹脂、熱可塑性エラストマー、シリコーンゴム、ブチルゴム、天然ゴム等の各種ゴム、鉄、銅、ステンレス鋼等の各種金属等が挙げられる。
【００９５】
中でも、各種ゴムで構成されたものである場合、筆記具Ｗの不本意な移動や、筆記具Ｗの傷付き等をより効果的に防止することができるとともに、クリップ本体１の挟持部を開く操作を行う際に、筒状部２５２がダブルクリップ１００の他の部位と接触してしまう場合であっても、筒状部２５２が好適に変形することができ、先端縁挟持部１２１同士の離間距離を十分に大きいものとすることができ、より厚みの大きい部材（例えば、より多くの紙葉類等）等を好適に挟持することができる。
【００９６】
《第４実施形態》
次に、本発明のダブルクリップの第４実施形態について説明する。
【００９７】
図５は、本発明のダブルクリップの第４実施形態を示す模式的な斜視図であり、図６は、図５に示すダブルクリップの模式的な側面図（断面図）である。以下の説明では、前述した実施形態との相違点について中心的に説明し、同様の事項についての説明は省略する。
【００９８】
本実施形態のダブルクリップ１００は、開閉レバー２の形状が異なる以外は、前述した実施形態と同様の構成を有している。
【００９９】
すなわち、本実施形態では、ダブルクリップ１００を表面が水平の支持体５００（机等）上に設置し、筆記具Ｗを保持させた状態において、当該筆記具Ｗの先端が支持体５００の表面に接触しないように構成されている（図６参照）。
【０１００】
これにより、筆記具Ｗの先端が支持体５００に接触し、支持体５００を汚してしまったり、筆記具Ｗが破損したりする等の問題の発生を効果的に防止することができる。
【０１０１】
特に、本実施形態では、ダブルクリップ１００の側面図（図６参照）または断面図において、支持体５００側の第１の開閉レバー２Ａ（アーム部２２Ａ）は、第１の開閉レバー２Ａのクリップ本体１への取り付け部（回動軸部２３Ａ）と先端部との間に、内側（図中の上方、クリップ本体１側）に湾曲している部位を有している。
【０１０２】
これにより、筆記具Ｗの先端が支持体５００に接触し、支持体５００を汚してしまったり、筆記具Ｗが破損したりする等の問題の発生をより効果的に防止することができる。また、開閉レバー２による挟持部の開閉操作（一対の先端縁挟持部１２１を離間、接近させる操作）をより容易に行うことができる。また、ダブルクリップ１００が筆記具Ｗを保持した状態における筆記具Ｗの角度（鉛直方向とのなす角）をより好適に調整することができ（例えば、傾斜角度がより小さくなるように調整することができ）、筆記具Ｗの転倒等をより効果的に防止することができる。
【０１０３】
また、本実施形態では、支持体５００側の第１の開閉レバー２Ａだけでなく、第２の開閉レバー２Ｂにも湾曲部が設けられている。より具体的には、第２の開閉レバー２Ｂ（アーム部２２Ｂ）は、第２の開閉レバー２Ｂのクリップ本体１への取り付け部（回動軸部２３Ｂ）と先端部との間に、内側（図中の下方、クリップ本体１側）に湾曲している部位を有している。
【０１０４】
これにより、開閉レバー２による挟持部の開閉操作（一対の先端縁挟持部１２１を離間、接近させる操作）をさらに容易に行うことができる。また、ダブルクリップ１００が筆記具Ｗを保持した状態における筆記具Ｗの角度（鉛直方向とのなす角）をさらに好適に調整することができ（例えば、傾斜角度がより小さくなるように調整することができ）、筆記具Ｗの転倒等をさらに効果的に防止することができる。
【０１０５】
ダブルクリップ１００の側面図（図６参照）において、開閉レバー２のクリップ本体１への取り付け部（回動軸部２３）と先端部との間でのアーム部２２の延在方向（直線）と、当該開閉レバー２に設けられた保持部２５の延在方向（直線）とのなす角θは、５°以上４５°以下であるのが好ましく、７°以上３０°以下であるのがより好ましい。
これにより、前述したような効果がより顕著に発揮される。
【０１０６】
なお、図示の構成では、開閉レバー２（アーム部２２）は、当該開閉レバー２のクリップ本体１への取り付け部（回動軸部２３）と先端部との間に、内側に湾曲している部位（湾曲部）を有しているが、湾曲部の代わりに屈曲部を有する場合にも同様の効果が得られる。
【０１０７】
以上、本発明の好適な実施形態について説明したが、本発明は、これらに限定されるものではない。
【０１０８】
例えば、保持部は、前述したような形態のものに限らず、筆記具Ｗを保持（支持）する機能を有するものであればいかなる形態のものであってもよい。
【０１０９】
例えば、前述した実施形態では、筆記具Ｗの先端側を保持（支持）する保持部が、孔部を有し、筆記具Ｗの外周と接触することにより筆記具Ｗを保持するリング状のものである場合について代表的に説明したが、筆記具Ｗの先端側を保持（支持）する保持部は、例えば、有底凹部を有し、当該有底凹部に筆記具Ｗを接触させて保持するものであってもよい。
【０１１０】
また、前述した実施形態では、筆記具Wを保持した状態において、下側に配される開閉レバー（第１の開閉レバー）が、上側に配される開閉レバー（第２の開閉レバー）と同等の体積を有するものか、上側に配される開閉レバー（第２の開閉レバー）よりも体積の小さいものである場合について代表的に説明したが、第１の開閉レバーは、第２の開閉レバーよりも体積の大きいものであってもよい。これにより、筆記具Ｗをより安定的に保持することができる。
【０１１１】
また、前述した実施形態では、一対の開閉レバーに、それぞれ保持部が設けられている場合について代表的に説明したが、保持部は、一方の開閉レバーのみに設けられていてもよい。
【０１１２】
また、前述した実施形態では、各開閉レバーに一つずつの保持部が設けられている場合について説明したが、１つの開閉レバーに複数の保持部が設けられていてもよい。これにより、例えば、複数の筆記具Ｗを保持することができる。また、例えば、大きさ（太さ等）の異なる複数の筆記具Ｗを用いる場合であっても、好適にダブルクリップで保持することができる。
【０１１３】
また、前述した実施形態では、摘み部が保持部を兼ねている場合について代表的に説明したが、保持部は、摘み部とは別個に設けられたものであってもよい。例えば、摘み部の先端側等に保持部が設けられていてもよい。
【０１１４】
また、前述した第４実施形態では、開閉レバーのアーム部が湾曲または屈曲している構成について説明したが、例えば、アームに対して、アーム部に接続する摘み部がアーム部の延在方向に対して湾曲または屈曲している場合にも、前記と同様の効果が得られる。また、例えば、保持部が摘み部とは別体として設けられている場合（例えば、保持部が摘み部の先端側に接続して設けられている場合等）には、保持部がアーム部の延在方向に対して湾曲、屈曲している場合でも前記と同様の効果が得られる。
【０１１５】
また、本発明のダブルクリップは、所定の情報を表示する情報表示部を備えるものであってもよい。
【０１１６】
これにより、例えば、ダブルクリップに、筆記具Ｗを保持する機能だけでなく、デザイン性、ファッション性、美的外観の向上等の機能を担わせることができる。
【０１１７】
なお、本明細書において、情報表示部とは、文字、マーク、ロゴ、キャラクターデザイン等の視覚的に認識し得る情報を表示する部位のことを言う。
【０１１８】
また、情報表示部は、広告機能を有するものであるのが好ましい。
これにより、例えば、ダブルクリップやダブルクリップに保持された筆記具Ｗ等の宣伝、広告等に好適に利用することができる。また、ダブルクリップをノベルティとして好適に用いることができる。
【０１１９】
また、ダブルクリップが情報表示部を有するものである場合、当該情報表示部の少なくとも一部が保持部を構成するものであるのが好ましい。
【０１２０】
これにより、ダブルクリップの大型化をより効果的に防止しつつ、前述したような効果を発揮させることができる。
【０１２１】
また、前述した第３実施形態では、筒状部２５２が設置された開閉レバー２（２Ｂ）の摘み部２１（２１Ｂ）の各部が存在する平面の法線方向に、筒状部２５２が延在するもの（すなわち、前記平面の法線方向と、筒状部２５２の軸方向とが一致するもの）として説明したが、図７、図８に示すように、筒状部２５２が設置された開閉レバー２（２Ｂ）の摘み部２１（２１Ｂ）の各部が存在する平面の法線方向に対し、筒状部２５２の延在方向（筒状部２５２の軸方向）が所定角度傾斜していてもよい。
これにより、ダブルクリップ１００が筆記具Ｗを保持した状態における筆記具Ｗの角度（鉛直方向とのなす角）、向きをより好適に調整することができ、筆記具Ｗの転倒等をより効果的に防止したり、必要時に筆記具Ｗをより容易に取り出したりすることができる。
【０１２２】
前記平面の法線方向と筒状部２５２の延在方向（筒状部２５２の軸方向）とのなす角θは、特に限定されないが、５°以上４０°以下であるのが好ましく、１０°以上３５°以下であるのがより好ましい。これにより、前述したような効果がより顕著に発揮される。
【０１２３】
前記平面の法線方向と筒状部２５２の延在方向（筒状部２５２の軸方向）とのなす角θや、開閉レバー２（２Ｂ）の摘み部２１（２１Ｂ）に対する筒状部２５２の延在方向（向き）は、ダブルクリップ１００の使用者等が調整できるように構成されていてもよい。
これにより、ダブルクリップ１００の設置部位や設置方向等の使用環境に応じて、前記角θや前記向きを好適に調整することができる。
【０１２４】
例えば、摘み部２１（２１Ｂ）の孔部内において、筒状部２５２が回転可能となるように構成することにより、開閉レバー２（２Ｂ）の摘み部２１（２１Ｂ）に対する筒状部２５２の延在方向（向き）を調整可能とすることができる。
【０１２５】
また、筒状部２５２を、粘土状物質や金属（金属部を樹脂等の貴金属材料で被覆したものを含む）等のように、塑性変形させることができる材料で構成されたものとすることにより、前記平面の法線方向と筒状部２５２の延在方向（筒状部２５２の軸方向）とのなす角θや、開閉レバー２（２Ｂ）の摘み部２１（２１Ｂ）に対する筒状部２５２の延在方向（向き）を調整可能とすることができる。
【０１２６】
また、前述した第３実施形態では、筒状部２５２は、筒状をなす壁部が隙間のないものである場合について代表的に説明したが、筒状部２５２の壁部には、例えば、空隙部が設けられていてもよい。より具体的には、例えば、筒状部２５２は、図９、図１０に示すように、らせん状等に巻回した線状体（例えば、針金等の金属材料で構成された線状体）で構成されたものとしてもよい。このような場合であっても、前述したのと同様の効果が得られる。
【０１２７】
特に、筒状部２５２が、塑性変形が可能な巻回した線状体で構成されたものである場合、前記平面の法線方向と筒状部２５２の延在方向（筒状部の軸方向）とのなす角θや、開閉レバー２（２Ｂ）の摘み部２１（２１Ｂ）に対する筒状部２５２の延在方向（向き）を、より好適に調整することができる。
【０１２８】
また、前述した実施形態では、保持部２５は、筆記具Ｗの筆記具本体Ｗ１（クリップ部Ｗ２以外の部位）を保持するものである場合について中心的に説明したが、本発明において、ダブルクリップは、筆記具の筆記具本体以外の部位（例えば、クリップ部）を保持するものであってもよい（図１１参照）。この場合、筆記具のクリップ部を、ダブルクリップの保持部に引っ掛けて用いてもよい。
【符号の説明】
【０１２９】
１００…ダブルクリップ
１…クリップ本体
１１…背板
１２…挟持板
１２Ａ…挟持板（第１の挟持板）
１２Ｂ…挟持板（第２の挟持板）
１２１…先端縁挟持部
１２１Ａ…先端縁挟持部（第１の先端縁挟持部）
１２１Ｂ…先端縁挟持部（第２の先端縁挟持部）
１２２…差し込み口
１２２Ａ…差し込み口（第１の差し込み口）
１２２Ｂ…差し込み口（第２の差し込み口）
１２３…案内部
１２３Ａ…案内部（第１の案内部）
１２３Ｂ…案内部（第２の案内部）
２…開閉レバー
２Ａ…開閉レバー（第１の開閉レバー）
２Ｂ…開閉レバー（第２の開閉レバー）
２１…摘み部
２１Ａ…摘み部（第１の摘み部）
２１Ｂ…摘み部（第２の摘み部）
２２…アーム部
２２Ａ…アーム部（第１のアーム部）
２２Ｂ…アーム部（第２のアーム部）
２３…回動軸部
２３Ａ…回動軸部（第１の回動軸部）
２３Ｂ…回動軸部（第２の回動軸部）
２５…保持部
２５Ａ…保持部（第１の保持部）
２５Ｂ…保持部（第２の保持部）
２５１…孔部
２５１Ａ…孔部（第１の孔部）
２５１Ｂ…孔部（第２の孔部）
２５２…筒状部
２５２１…中空部
２５２２…漸減部
５００…支持体
Ｗ…筆記具
Ｗ１…筆記具本体（本体部分）
Ｗ２…クリップ部
θ…角
【要約】      （修正有）【課題】持ち運びに便利で、筆記具を好適に保持（支持）する機能も備えたダブルクリップを提供する。【解決手段】クリップ本体１と、クリップ本体の開閉操作を行う一対の開閉レバー２とを備えるものであって、開閉レバーの少なくとも一方に、筆記具の本体部分を保持する保持部２５が設けられており、前記保持部２５として、孔部を有するものを備え、前記筆記具を保持した状態において、前記保持部２５は、前記筆記具の長手方向に沿って延在する筒状部２５２を有する。前記筒状部２５２は、前記筆記具を挿し入れる方向に向かって、中空部２５２１の幅が漸減する漸減部２５２２を有する筒状部２５２を持つ。【選択図】図３【図１】
0005933091.tif 000002
【図２】
0005933091.tif 000003
【図３】
0005933091.tif 000004
【図４】
0005933091.tif 000005
【図５】
0005933091.tif 000006
【図６】
0005933091.tif 000007
【図７】
0005933091.tif 000008
【図８】
0005933091.tif 000009
【図９】
0005933091.tif 000010
【図１０】
0005933091.tif 000011
【図１１】
0005933091.tif 000012